(57)【要約】【課題】上流側から下流側にかけて次第に幅狭になる遊技球通路内での球詰まりが発生しない実用的なパチンコ機を提供する。【解決手段】パチンコ機は、遊技球タンク１の通路樋３に、上流側から下流側にかけて次第に幅狭になる遊技球通路３２，３２が設けられている。そして、各遊技球通路３２，３２の上流側に、扁平な円柱状の第一球均し部材１８，１８が、周状部分を遊技球通路３２，３２に向けた状態で、遊技球通路３２，３２に沿った鉛直面内で、任意の方向に揺動自在に吊設されているとともに、その第一球均し部材１８，１８と隣接した下流側に、長尺状の第二球均し部材１９，１９が、下端を下流側に位置させるように遊技球通路３２，３２に沿って傾斜状に吊設されている。【選択図】図３
2011189207.tif 000002
【特許請求の範囲】
【請求項１】
上流側から下流側にかけて次第に幅狭になる遊技球通路を有するパチンコ機であって、
前記遊技球通路に沿って、第一球均し部材と第二球均し部材とを、前記第一球均し部材の隣接した下流側に前記第二球均し部材が位置するように吊設しており、
前記第二球均し部材を、長尺状の部材とし、その上端を軸支した状態で、下端を下流側に位置させるように前記遊技球通路に沿って傾斜状に吊設するともに、前記第二球均し部材の下面に、上向き凸状のくびれを設けたことを特徴とするパチンコ機。
【請求項２】
第一球均し部材を扁平な円柱状の部材とし、その周状部分を遊技球通路に向けた状態で、任意の方向に揺動自在に吊設するとともに、
前記第一球均し部材の前記周状部分の外周に、略円弧状の断面を有して遊技球が嵌り込み可能な凹状溝を前記周状部分の周方向に沿って設けたことを特徴とする請求項１に記載のパチンコ機。
【請求項３】
仕切り板によって区画された複数の遊技球通路を備えており、
前記仕切り板に、第一球均し部材を吊設するための吊下軸を前記遊技球通路内側へ突設する一方、前記第一球均し部材に、前記吊下軸の直径よりも遊技球の半径だけ大径な挿通孔を設け、
前記挿通孔へ前記吊下軸を挿通させることにより、前記第一球均し部材を前記仕切り板に沿った面内で任意の方向に揺動自在に吊設したことを特徴とする請求項２に記載のパチンコ機。
【請求項４】
第二球均し部材が、規制部材によって、下端を遊技球通路の床板から遊技球の直径と同じ長さだけ隔てた位置より上方に保持させたものであることを特徴とする請求項１〜３のいずれかに記載のパチンコ機。
【発明の詳細な説明】
【技術分野】
【０００１】
本発明は、パチンコ機に関するものである。
【背景技術】
【０００２】
従来のパチンコ機は、ホールから供給された遊技球を一時的に貯留して入賞に応じて払い出すために、上流側から下流側にかけて次第に幅狭になるように設けられた遊技球通路を有している。また、かかる遊技球通路には、球詰まり（遊技球の凝集）を防止するために、球均し部材が設置されている（たとえば特許文献１）。
【先行技術文献】
【特許文献】
【０００３】
【特許文献１】特開２０００−１１６９００号公報
【発明の概要】
【発明が解決しようとする課題】
【０００４】
しかしながら、上記従来のパチンコ機は、球均し部材が設けられているにも拘わらず、その球均し部材が効果的に作用せず、遊技球通路内で球詰まりが発生してしまうことがある。
【０００５】
本発明の目的は、上記従来のパチンコ機が有する問題点を解消し、上流側から下流側にかけて次第に幅狭になる遊技球通路内での球詰まりが発生しない実用的なパチンコ機を提供することにある。
【課題を解決するための手段】
【０００６】
かかる本発明のうち請求項１に記載の発明は、上流側から下流側にかけて次第に幅狭になる遊技球通路を有するパチンコ機であって、前記遊技球通路に沿って、第一球均し部材と第二球均し部材とを、前記第一球均し部材の隣接した下流側に前記第二球均し部材が位置するように吊設しており、前記第二球均し部材を、長尺状の部材とし、その上端を軸支した状態で、下端を下流側に位置させるように前記遊技球通路に沿って傾斜状に吊設するともに、前記第二球均し部材の下面に、上向き凸状のくびれを設けたことを特徴とする。
請求項２に記載の発明は、請求項１に記載の発明において、第一球均し部材を扁平な円柱状の部材とし、その周状部分を遊技球通路に向けた状態で、任意の方向に揺動自在に吊設するとともに、前記第一球均し部材の前記周状部分の外周に、略円弧状の断面を有して遊技球が嵌り込み可能な凹状溝を前記周状部分の周方向に沿って設けたことを特徴とする。
請求項３に記載の発明は、請求項２に記載の発明において、仕切り板によって区画された複数の遊技球通路を備えており、前記仕切り板に、第一球均し部材を吊設するための吊下軸を前記遊技球通路内側へ突設する一方、前記第一球均し部材に、前記吊下軸の直径よりも遊技球の半径だけ大径な挿通孔を設け、前記挿通孔へ前記吊下軸を挿通させることにより、前記第一球均し部材を前記仕切り板に沿った面内で任意の方向に揺動自在に吊設したことを特徴とする。
請求項４に記載の発明は、第二球均し部材が、規制部材によって、下端を遊技球通路の床板から遊技球の直径と同じ長さだけ隔てた位置より上方に保持させたものであることを特徴とする。
【発明の効果】
【０００７】
請求項１に記載されたパチンコ機は、上流側から下流側にかけて次第に幅狭になる遊技球通路に沿って、第一球均し部材と第二球均し部材とが連続的に吊設されているため、遊技球通路が上流側から下流側にかけて次第に幅狭になっているにも拘わらず、遊技球通路内で球詰まりが発生したりしない。
また、第二球均し部材の下面に、上向き凸状のくびれが設けられているため、そのくびれに、遊技球通路内を流下する遊技球の内の一つが嵌り込んで、下側に位置した遊技球をスムーズに遊技球通路の床板に押し付けるので、きわめて効率的に遊技球通路内での球詰まりの発生を防止することができる。
さらに、第一球均し部材と第二球均し部材とを、第一球均し部材の隣接した下流側に第二球均し部材が位置するように吊設しているため、第一球均し部材が遊技球の凝集を崩した直後に、第二球均し部材が適度な重力で遊技球を浮き上がらないように押さえ付けられるので、効率的に遊技球通路内での球詰まりの発生を防止することができる。
請求項２に記載されたパチンコ機は、第一球均し部材を扁平な円柱状の部材とし、その周状部分を遊技球通路に向けた状態で、任意の方向に揺動自在に吊設するとともに、第一球均し部材の周状部分の外周に、略円弧状の断面を有して遊技球が嵌り込み可能な凹状溝を周状部分の周方向に沿って設けているため、凹状溝に嵌め込まれた遊技球を核として遊技球の凝集が崩されるので、非常に遊技球通路内での効率的に球詰まりの発生を防止することができる。
請求項４に記載されたパチンコ機は、第二球均し部材が、規制部材によって、下端を遊技球通路の床板から遊技球の直径と同じ長さだけ隔てた位置より上方に保持させたものであるため、遊技球通路を流下する一段に均された遊技球が、第二球均し部材の重力によって塞き止められる、という事態が生じたりしない。
【図面の簡単な説明】
【０００８】
【図１】パチンコ機の背面図である。
【図２】遊技球タンクの前方斜視図である。
【図３】遊技球タンクの平面図である。
【図４】図３におけるＡ−Ａ線断面図である。
【図５】遊技球タンクの分解斜視図である。
【図６】通路樋の平面図である。
【図７】第一球均し部材の正面図（ａ）、断面図（ｂ）および（ｃ）、斜視図（ｄ）である（なお、（ｂ）は（ａ）におけるＡ−Ａ線断面図であり、（ｃ）は（ａ）におけるＢ−Ｂ線断面図である）。
【図８】仕切り体の分解斜視図である。
【図９】仕切り体を垂設した通路樋の平面図である。
【図１０】第一球均し部材、第二の第一球均し部材の作動状態を示す説明図（図４における部分拡大図）である。
【発明を実施するための形態】
【０００９】
以下、本発明に係るパチンコ機の一実施形態を、図面に基づいて詳細に説明する。図１は、本発明に係るパチンコ機の背面を示したものである。パチンコ機３５の背面の上端際には、ホールから供給された遊技球を一時的に貯留して、遊技球払出装置３７へ流下させるための遊技球タンク１が設けられており、その遊技球タンク１の内部に、上流側から下流側にかけて次第に幅狭になる遊技球通路が設けられている。
【００１０】
図２〜図５は、遊技球タンクを示したものであり、遊技球タンク１は、遊技球を貯留するための貯留桶２、貯留桶２から流下した遊技球を外部へ流下させるための通路樋３、通路樋３の内部を複数の遊技球通路３２，３２に区画するための仕切り体４とによって組み立て形成されている。
【００１１】
貯留桶２は、合成樹脂によって、上面を開口した横長の箱状に一体成形されている。そして、底板５が、左下がりの傾斜状に設けられており、その底板５の左端の後方側に流下孔６が穿設されている。さらに、周壁７の左右の外側には、係合翼９ａ，９ｂが設けられている。
【００１２】
また、図６は、通路樋３を示したものであり、通路樋３も、貯留桶２と同様に、合成樹脂によって、上面を開口した横長の箱状に一体成形されており、周囲を覆う周壁１０が、貯留桶２の周壁７より一回り大きくなっている。そして、左端に、貯留桶２の係合翼９ａより一回り大きな係合翼１１が突設されており、右端に、長尺状の送出突片１２が突設されている。なお、送出突片１２の上側には、規制部材４９が取り付けられている。また、係合翼１１の設置際には、係合溝２７が穿設されており、送出突片１２の設置際には、開口部３１が設けられている。一方、通路樋３の内部の中央には、通路樋３の左端から右端に亘って、通路形成壁２５が垂設されており、その通路形成壁２５には、切り欠き２６，２６・・が設けられている。また、通路形成壁２５の後側は、通路形成部１３になっている。通路形成部１３は、上流側から下流側にかけて次第に幅狭になっており、先端が、送出突片１２の内部まで連通した状態になっている。なお、通路形成部１３の床板２８には、遊技球をスムーズに流下させるための金属製のプレート２９が敷設されている。さらに、後側の周壁１０には、段部２３が設けられており、その段部２３の上側には、係合溝２４，２４・・が設けられている。なお、通路形成部１３の床板２８は、右下がりの傾斜状に設けられており、長手方向に沿って中央に係合孔１４，１４・・が穿設されている。また、プレート２９には、床板２８の係合孔１４，１４・・と同じ位置に、係合孔１４，１４・・より一回り大きな係合孔３０，３０・・が穿設されている。さらに、通路樋３の下側には、モータの作動によって揺動する凝集防止装置１５が設置されている。
【００１３】
一方、仕切り体４は、図４等に示されているように、横長な平板状の仕切り板１６の右上部の前後に、設置板１７，１７が略水平に垂設されている。また、それらの設置板１７，１７の前側には、揺動孔８，８が穿設されており、それらの揺動孔８，８の下側には、第一球均し部材１８，１８、および第二球均し部材１９，１９が吊設されており、それぞれ、仕切り板１６の表裏に一個ずつ位置した状態になっている。
【００１４】
図７は、第一球均し部材１８を示したものであり、各第一球均し部材１８，１８は、ポリオキシメチレンによって扁平な円柱状に形成されており、表裏を貫通するように、挿通孔３９と重量調節孔４０とが、上下に対称に穿設されている。そして、重量調節孔４０には、金属製で所定の重量を有する錘体４１が着脱自在に嵌め込み設置されている。さらに、第一球均し部材１８の外周には、断面が略円弧状の凹状溝４２が刻設されている。図８は、仕切り体４を分解して示したものであり、各揺動孔８，８の下側には、各設置板１７，１７に下向きに突設された設置突片の係止孔４３，４３を利用して、第一吊下軸４４が懸架されており、各第一球均し部材１８，１８は、その第一吊下軸４４に、挿通孔３９を挿通させることによって吊設されている。また、各第一球均し部材１８，１８は、挿通孔３９の直径が第一吊下軸４４の直径より、遊技球の直径の約半分の長さだけ長くなっていることによって、仕切り板１６に沿った鉛直面内で、任意の方向に揺動自在になっている。なお、各設置板１７，１７に穿設された揺動孔８，８によって、各第一球均し部材１８，１８の上方への揺動が阻害されないようになっている。
【００１５】
一方、各第二球均し部材１９，１９は、ポリオキシメチレンによって、下向きに凸なカーブを有する長尺状に形成されており、中央に、断面Ｖ字状のくびれ４５が設けられている。また、基端には、吊下孔４６が穿設されており、先端には、係合鉤部４７が設けられている。かかる第二球均し部材１９，１９は、第一吊下軸４４と同様な方法によって揺動孔８，８の下側に懸架された第二吊下軸４８に、吊下孔４６を挿通させることによって、吊下孔４６を中心として回動自在に吊設されている。
【００１６】
また、仕切り板１６の左端縁には、係合片２０が設けられており、仕切り板１６の下端には、係合突起２１，２１・・が設置されている、また、設置板１７の左右の端縁には、係合片２２，２２・・が設けられている。
【００１７】
遊技球タンク１は、仕切り板１６の係合片２０および係合突起２１，２１・・を、それぞれ、通路樋３の係合溝２７、係合孔１４，１４・・（プレート２９の係合孔３０，３０・・）に係合させ、設置板１７の左右の係合片２２，２２・・を、通路樋３の係合溝２４，２４・・および切り欠き２６，２６・・に係合させることによって、図９の如く、仕切り体４を通路樋３に着脱自在に設置し、その仕切り体４を設置した通路樋３の上側に貯留桶２を嵌め込むことによって、一体的に組み立てられている（図２等参照）。なお、一体的に組み立てられた遊技球タンク１においては、貯留桶２の係合翼９ａが通路樋３の係合翼１１で覆われており、貯留桶２の周壁７が通路樋３の周壁１０で覆われている。そして、仕切り体４の仕切り板１６が、通路樋３の床板２８と貯留桶２の底板５とによって、狭持された状態になっており、その仕切り板４によって、通路形成部１３が、遊技球通路３２，３２に区画された状態になっている。
【００１８】
組み付けられた遊技球タンク１においては、各第一球均し部材１８，１８が、各遊技球通路３２，３２を形成している床板２８から遊技球の直径の約２倍と同じ長さを隔てた位置より下側まで垂下した状態で、遊技球通路３２，３２に沿った鉛直面内で、任意の方向に揺動自在になっている。また、各第二球均し部材１９，１９が、下端を下流側に位置させるように、各遊技球通路３２，３２に沿って傾斜状に吊設されて垂下した状態になっており、各第二球均し部材１９，１９の先端の係合鉤部４７，４７が、通路樋３の送出突片１２の規制部材４９の後端縁と係合した状態になっている。そして、各第二球均し部材１９，１９の先端際の部分（最下端の部分）が、各遊技球通路３２，３２の床板２８から遊技球の直径と同じ長さを隔てた位置より若干上方に位置するように保持された状態になっている。
【００１９】
遊技球タンク１は、図１の如く、機構板３３に設けられた通路部材３４の上端に通路樋３の送出突片１２を係止させ、通路樋３の係合翼１１を機構板３３のコ字状金具３８内に嵌入し、貯留桶２の係合翼９ｂを、機構板３３に止着することによって、パチンコ機３５に設置されている。そして、遊技球タンク１においては、パチンコホールから遊技球が供給されると、それらの遊技球が貯留桶２の上方に貯留した後に、流下孔６から、通路樋３の左後方（パチンコ機３５の背面から見た場合の左後方）に流下し、仕切り板１６によって区画された遊技球通路３２，３２へと流下する。さらに、遊技球通路３２，３２へと導かれた遊技球は、床板２８の傾斜に沿って右側へと転動し、送出突片１２の先端の送球孔３６，３６から、通路部材３４を介して、通路部材３４の下側に位置した遊技球払出装置３７へと送り出される。そして、そのように遊技球が各遊技球通路３２，３２を流下する際に、図１０の如く、各第一球均し部材１８，１８が、約三段以上に積み重なった遊技球の凝集（遊技球が山なりに集まった状態）約二段になるまで崩し、その直後に、各第二球均し部材１９，１９が、約二段に積み重なった遊技球を、適度な重力によって押さえ付けて、上下に積み重ならないように一列に整列させるように機能する。なお、各第二球均し部材１９，１９が、適度な重力によって遊技球を押さえ付ける際には、各第二球均し部材１９，１９のくびれ４５，４５に、遊技球通路３２，３２内を流下する遊技球の内の一つが嵌り込んで、下側に位置した遊技球をスムーズに床板２８に押し付けるように機能する。かかる第一球均し部材１８，１８および第二球均し部材１９，１９の機能によって、遊技球通路３２，３２内での球詰まりが防止される。
【００２０】
パチンコ機３５は、上記の如く、遊技球タンク１内に設けられた上流側から下流側にかけて次第に幅狭になる遊技球通路３２，３２に沿って、第一球均し部材１８，１８および第二球均し部材１９，１９が連続的に吊設されているため、遊技球通路３２，３２が上流側から下流側にかけて次第に幅狭になっているにも拘わらず、遊技球通路３２，３２内で球詰まりが発生したりしない。
【００２１】
また、パチンコ機３５は、各遊技球通路３２，３２の上流側に、扁平な円柱状の第一球均し部材１８，１８が、周状部分を遊技球通路３２，３２に向けた状態で、遊技球通路３２，３２に沿った鉛直面内で、任意の方向に揺動自在に吊設されているとともに、その第一球均し部材１８，１８と隣接した下流側に、長尺状の第二球均し部材１９，１９が、下端を下流側に位置させるように遊技球通路３２，３２に沿って傾斜状に吊設されたものであるため、第一球均し部材１８，１８が遊技球の凝集を崩した直後に、第二球均し部材１９，１９が適度な重力で遊技球を浮き上がらないように押さえ付けるので、効率的に遊技球通路３２，３２内での球詰まりの発生を防止することができる。
【００２２】
さらに、パチンコ機３５は、第一球均し部材１８，１８の外周に沿って、略円弧状の断面を有する凹状溝４２が設けられているため、凹状溝４２に嵌め込まれた遊技球を核として遊技球の凝集が崩されるので、非常に効率的に遊技球通路３２，３２内での球詰まりの発生を防止することができる。
【００２３】
また、パチンコ機３５は、各第二球均し部材１９，１９の略中央に、上向き凸状のくびれ４５，４５が設けられているため、それらのくびれ４５，４５に、遊技球通路３２，３２内を流下する遊技球の内の一つが嵌り込んで、下側に位置した遊技球をスムーズに床板２８に押し付けるので、きわめて効率的に遊技球通路３２，３２内での球詰まりの発生を防止することができる。
【００２４】
さらに、パチンコ機３５は、各第二球均し部材１９，１９が、規制部材４９によって、下端を遊技球通路３２，３２の床板２８から遊技球の直径と同じ長さだけ隔てた位置より上方に保持させたものであるため、遊技球通路３２，３２を流下する一段に均された遊技球が、各第二球均し部材１９，１９の重力によって塞き止められる、という不測の事態が生じたりしない。
【００２５】
加えて、パチンコ機３５は、第一球均し部材１８，１８が錘体４１を着脱自在に設置したものであるので、パチンコホールの出球状況に応じて、各錘体４１，４１の重量を変えることによって、第一球均し部材１８，１８が最も効率的に遊技球の積み重なりを崩すことができるように微調整することができる。
【００２６】
なお、本発明のパチンコ機の構成は、上記した各実施例の態様に何ら限定されるものではなく、遊技球タンク、遊技球通路、球均し部材、機構板、通路部材、遊技球払出装置等の形状・構造等の構成を、本発明の趣旨を逸脱しない範囲で、必要に応じて適宜変更できる。
【００２７】
たとえば、パチンコ機は、遊技球通路に２個の球均し部材を連続的に設けたものに限定されず、３個以上の球均し部材を連続的に設けたものでも良い。また、連続的に設ける球均し部材の形状も、上記実施形態の形状に何ら限定されず、必要に応じて適宜変更することができる。さらに、上記実施形態の如く吊設するタイプの球均し部材を設置する場合には、吊設方法は、設置板への吊設に限定されず、貯留桶の下面等の別の場所に吊設することも可能である。加えて、球均し部材を、任意の方向に揺動自在に吊設する方法は、上記実施形態の如く球均し部材に穿設された挿通孔に遊技球通路の上方に懸架された吊下軸を挿通させる方法に限定されず、球均し部材に突設された突起を遊嵌する方法や、コード、コイルバネ、紐などによって、球均し部材を吊設する方法等でも良い。また、球均し部材の材質は、ポリオキシメチレンに限定されず、他の合成樹脂や金属等に変更することも可能である。なお、上記実施形態の如くポリオキシメチレンを用いた場合には、ポリオキシメチレンの低い摩擦抵抗に起因して、遊技球の凝集解消効果が一層良好なものとなる。
【００２８】
一方、パチンコ機は、遊技球タンクに設けられた遊技球通路に複数の球均し部材を連続的に設けたものに限定されず、通路部材に設けられた遊技球通路等の遊技球タンク以外の場所に設けられた遊技球通路に複数の球均し部材を連続的に設けたものでも良い。また、上記実施形態の如く遊技球タンク内の遊技球通路に複数の球均し部材を連続的に設ける場合には、遊技球タンクは、貯留桶、通路樋、仕切り体等を組み付けたものに限定されず、貯留桶と通路樋とを一体にしたものでも良いし、２つの遊技球通路を設けたものに限定されず、１つのみの遊技球通路を設けたものや、３つ以上の遊技球通路を設けたものでも良い。
【符号の説明】
【００２９】
１８・・第一球均し部材、１９・・第二球均し部材、２８・・床板、３２・・遊技球通路、４２・・凹状溝、４５・・くびれ、４９・・規制部材、３５・・パチンコ機。
【図１】
2011189207.tif 000003
【図２】
2011189207.tif 000004
【図３】
2011189207.tif 000005
【図４】
2011189207.tif 000006
【図５】
2011189207.tif 000007
【図６】
2011189207.tif 000008
【図７】
2011189207.tif 000009
【図８】
2011189207.tif 000010
【図９】
2011189207.tif 000011
【図１０】
2011189207.tif 000012